(57)【要約】  【課題】被写体に対して均一に光を照射することによって最適の照明が可能な撮影用ライトを提供する。  【解決手段】本発明の撮影用ライト１は、板状の基板２上に、面状発光部３０を有する有機ＥＬ素子３が複数配列されている。各有機ＥＬ素子３Ｒ、３Ｇ、３Ｂは、赤、緑、青の３原色で発光する機能を有している。各有機ＥＬ素子３Ｒ、３Ｇ、３Ｂは、制御回路４に接続され、それぞれ独立して点灯させるように構成されている。【選択図】図１
2006227188.tif 000002
【特許請求の範囲】
【請求項１】
板状の基板上に、所定の色で発光する面状発光部を有する有機ＥＬ素子が複数配列され、前記有機ＥＬ素子をそれぞれ独立して点灯させるように構成されていることを特徴とする撮影用ライト。
【請求項２】
光の３原色で発光する有機ＥＬ素子を有することを特徴とする請求項１記載の撮影用ライト。
【請求項３】
白色で発光する有機ＥＬ素子を有することを特徴とする請求項１又は２のいずれか１項記載の撮影用ライト。
【請求項４】
請求項１乃至３のいずれか１項記載の撮影用ライトを用い、被写体に対して下方側から光を照射することを特徴とする照明方法。
【請求項５】
請求項１乃至３のいずれか１項記載の撮影用ライトを用い、赤色で発光する有機ＥＬ素子を点灯させて照明を行うことを特徴とする照明方法。
【請求項６】
請求項１乃至３のいずれか１項記載の撮影用ライトが、装置本体に一体的に取り付けられるように構成されていることを特徴とする撮影用カメラ。 
【発明の詳細な説明】
【技術分野】
【０００１】
本発明は、有機ＥＬ素子を用いた撮影用ライトに関し、特に、テレビカメラで撮影する際に適した照明技術に関する。
【背景技術】
【０００２】
一般に、明るさが足りない室内等においてテレビカメラ等によって撮影する際には、被写体を照明するための撮影用照明装置が用いられている。
【０００３】
従来、この種の撮影用照明装置の光源としては、白熱電球が用いられていたが、寿命の短かさや消費電力が大きいことから、近年、発光ダイオードを用いることが提案されている。
【０００４】
しかしながら、このような発光ダイオードを用いた撮影用照明装置においては、被写体において陰影が強くなったり、明るさに偏りが生ずるという問題があり、近年これを改善する技術がもとめられている。
【特許文献１】特開２００３−１６３８３５号公報
【発明の開示】
【発明が解決しようとする課題】
【０００５】
本発明は、上記の問題点を考慮してなされたもので、被写体に対して均一に光を照射することによって最適の照明が可能な撮影用ライト及びこれを用いた照明方法を提供することを目的とする。
【課題を解決するための手段】
【０００６】
上記目的を達成するためになされた請求項１記載の発明は、板状の基板上に、所定の色で発光する面状発光部を有する有機ＥＬ素子が複数配列され、前記有機ＥＬ素子をそれぞれ独立して点灯させるように構成されていることを特徴とする撮影用ライトである。
請求項２記載の発明は、請求項１記載の発明において、光の３原色で発光する有機ＥＬ素子を有することを特徴とするものである。
請求項３記載の発明は、請求項１又は２のいずれか１項記載の発明において、白色で発光する有機ＥＬ素子を有することを特徴とするものである。
請求項４記載の発明は、請求項１乃至３のいずれか１項記載の撮影用ライトを用い、被写体に対して下方側から光を照射することを特徴とする照明方法である。
請求項５記載の発明は、請求項１乃至３のいずれか１項記載の撮影用ライトを用い、赤色で発光する有機ＥＬ素子を点灯させて照明を行うことを特徴とする照明方法である。
請求項６記載の発明は、請求項１乃至３のいずれか１項記載の撮影用ライトが、装置本体に一体的に取り付けられるように構成されていることを特徴とする撮影用カメラである。
【０００７】
本発明の撮影用ライトの場合、面発光する有機ＥＬ素子によって照明を行うことから、従来技術に比べて被写体における陰影は弱く、明るさに偏りが生ずることが少ない。
【０００８】
特に、本発明の場合は、複数の有機ＥＬ素子をそれぞれ独立して点灯させるように構成されているため、被写体の形状、大きさ等に応じて特定の有機ＥＬ素子を点灯させることによって、被写体に対して均一で最適の照明を行うことが可能になる。
【０００９】
本発明において、光の３原色で発光する有機ＥＬ素子を有する場合には、種々の色の照明光を作り出して幅広い被写体に対して照明を行うことが可能になる。
【００１０】
また、本発明において、白色で発光する有機ＥＬ素子を有する場合には、柔らかい種々のニュアンスに富む色の照明光を作り出して照明を行うことが可能になる。
【００１１】
さらに、上記本発明の撮影用ライトを用い、被写体に対して下方側から光を照射すれば、通常の採光の陰影が打ち消されるため、被写体が人間の場合に肌の色を美しく撮影することが可能になる。
【００１２】
一方、上記本発明の撮影用ライトが、装置本体に一体的に取り付けられるように構成されている撮影用カメラによれば、屋外等の種々の場所において、均一で最適の照明を行いつつ撮影を行うことができる。
【００１３】
また、本発明の撮影用ライトは低電圧で発光する有機ＥＬ素子を用いるものであるから、長時間の使用が可能になるというメリットがあるものである。
【発明の効果】
【００１４】
本発明によれば、被写体に対して均一に光を照射することによって最適の照明が可能な撮影用ライト及びこれを用いた照明方法を提供することができる。
【発明を実施するための最良の形態】
【００１５】
以下、本発明の好ましい実施の形態を図面を参照して詳細に説明する。
図１は、本発明の実施の形態の撮影用ライトの基本構成を示す平面図である。
【００１６】
図１に示すように、本実施の形態の撮影用ライト１は、保持用の基板２を有し、この基板２上にパネル状の複数の有機ＥＬ素子３が配列されている。
【００１７】
本発明の場合、基板２としてはリジッド（硬質）又はフレキシブル（軟質）のいずれを用いることができ、その材料は特に限定されない。
なお、基板２の大きさについては、照明する部分及び有機ＥＬ素子１の大きさに応じて変更することができる。
【００１８】
本実施の形態の場合、有機ＥＬ素子３は、平面状の面状発光部３０を有するもので、図１に示す例においては、Ｒ（赤）、Ｇ（緑）、Ｂ（青）の各色で発光する機能を有する有機ＥＬ素子３Ｒ、３Ｇ、３Ｂが用いられる。
【００１９】
ここで、各有機ＥＬ素子３Ｒ、３Ｇ、３Ｂは所定の制御回路４に接続され、この制御回路４からの命令に応じて独立して所定のタイミングで点灯するように構成されている。
【００２０】
本発明の場合、有機ＥＬ素子３（３Ｒ、３Ｇ、３Ｂ）の配列は特に限定されることはないが、太陽光に近い自然なコントラストを強調する観点からは、いわゆるデルタ配列を採用することが好ましい。
【００２１】
図２は、本実施の形態の撮影用ライトの他の例を示す平面図である。
図２に示すように、本例の場合、上記撮影用ライト１と基本構成は同じであるが、Ｒ（赤）、Ｇ（緑）、Ｂ（青）の各色で発光する有機ＥＬ素子３Ｒ、３Ｇ、３Ｂに加えて、白色（Ｗ）で発光する有機ＥＬ素子３Ｗを有している。
【００２２】
この場合、各有機ＥＬ素子３Ｒ、３Ｇ、３Ｂ、３Ｗの配列は特に限定されることはないが、各素子のピーク波長を分散させる観点からは、有機ＥＬ素子３Ｒと有機ＥＬ素子３Ｗを隣接しないように配列することが好ましい。
【００２３】
上述した撮影用ライト１の場合、有機ＥＬ素子３をそれぞれ種々組み合わせて照明を行うことができる。
例えば、図１に示す撮影用ライト１の場合、Ｒ（赤）、Ｇ（緑）、Ｂ（青）の有機ＥＬ素子３Ｒ、３Ｇ、３Ｂを単独又は任意に組み合わせて点灯させることができる。
【００２４】
また、図２に示す撮影用ライト１においても、Ｒ（赤）、Ｇ（緑）、Ｂ（青）、Ｗ（白）の有機ＥＬ素子３Ｒ、３Ｇ、３Ｂ、３Ｗを単独又は任意に組み合わせて点灯させることができる。
【００２５】
なお、有機ＥＬ素子３のうち所定の色のものの発光量を増減することによって明度、彩度、色相を変化させることも可能である。
【００２６】
図３は、本発明の照明方法の実施の形態を示す説明図である。
図３に示すように、本実施の形態においては、被写体５として例えば人に対してテレビカメラ等によって撮影を行う際に、上述した撮影用ライト１を用いて照明を行う。
【００２７】
この場合、撮影用ライト１は、被写体５に対して対向させ種々の角度で光を照射することができる。
【００２８】
例えば、被写体５より低い位置（例えば床上）に配置して被写体５の下方から光を照射する場合（撮影用ライト１Ａ）、被写体５とほぼ同じ高さに配置して被写体５の正面、側面又は後方側から光を照射する場合（撮影用ライト１Ｂ）、被写体５より高い位置（例えば天井）に配置して被写体５の上方から光を照射する場合（撮影用ライト１Ｃ）など種々の配置が考えられる。
被写体５が人間の場合、肌の色を美しく撮影する観点からは、被写体５の下方から光を照射することが好ましい。
【００２９】
図４は、本発明における撮影用ライトの配置の他の例を示す説明図である。
図４に示すように、アナウンサー等のようにデスク６の前で座った状態の被写体５を撮影する場合には、例えばデスク６の下に撮影用ライト１を配置し、被写体５に対してその下方から光を照射するようにする。
【００３０】
この場合、撮影用ライト１を例えばデスク６の下側に配置して撮影画面７上においてデスク６の陰に隠れるようにすれば、美観を向上させる点で好ましい。
【００３１】
以上述べたように本実施の形態の撮影用ライト１にあっては、面発光する有機ＥＬ素子３によって照明を行うことから、従来技術に比べて被写体５における陰影は弱く、明るさに偏りが生ずることが少ない。
【００３２】
特に、本実施の形態の場合は、複数の有機ＥＬ素子３をそれぞれ独立して点灯させるように構成されおり、被写体５の形状、大きさ等に応じて特定の有機ＥＬ素子３を点灯させることによって、被写体５に対して均一で最適の照明を行うことができる。
【００３３】
また、図１に示す撮影用ライト１によれば、光の３原色で発光する有機ＥＬ素子３Ｒ、３Ｇ、３Ｂを有することから、種々の色の照明光を作り出して幅広い被写体５に対して照明を行うことができる。
【００３４】
また、図２に示す撮影用ライト１によれば、白色で発光する有機ＥＬ素子３Ｗを更に有することから、柔らかい種々のニュアンスに富む色の照明光を作り出して照明を行うことができる。
【００３５】
他方、本実施の形態の撮影用ライト１を用い、被写体５に対して下方側から光を照射することにより、乱反射光による効果のため、被写体５が人間の場合に肌の色を美しく撮影することができる。
【００３６】
図５は、本発明に係る撮影用カメラの実施の形態の外観構成図であり、以下、上記実施の形態と対応する部分については同一の符号を付しその詳細な説明を省略する。
【００３７】
図５に示すように、本実施の形態の撮影用カメラ１０は、持ち運び可能なハンディタイプのテレビカメラで、上記実施の形態の撮影用ライト１が、装置本体１１に一体的に取り付けられるように構成されているものである。
【００３８】
ここで、撮影用ライト１は、装置本体１１の上部前方側で撮像レンズ１２の近傍に設けられている。
そして、撮影用ライト１の発光面１ａが被写体（図示せず）に対向して撮影の際に被写体に対して光を照射するように構成されている。
【００３９】
このような構成を有する本実施の形態によれば、屋外等の種々の場所において、均一で最適の照明を行いつつ撮影を行うことができる。
【００４０】
特に、本発明の撮影用ライト１は低電圧で発光する有機ＥＬ素子を用いるものであるから、長時間の使用が可能になるというメリットがある。その他の構成及び作用効果については上述の実施の形態と同一であるのでその詳細な説明を省略する。
【００４１】
なお、本発明は上述の実施の形態に限られることなく、種々の変更を行うことができる。
例えば、上記実施の形態においては、テレビカメラによって撮影する場合を例にとって説明したが、本発明はこれに限られず、例えばビデオカメラや写真用カメラで撮影する場合に適用することも可能である。
【００４２】
また、撮影用ライトに用いる有機ＥＬ素子は、異なる色で発光するもののみならず、同一色で発光するものを用いることも可能である。
【図面の簡単な説明】
【００４３】
【図１】本発明の実施の形態の撮影用ライトの基本構成を示す平面図
【図２】同実施の形態の撮影用ライトの他の例を示す平面図
【図３】本発明の照明方法の実施の形態を示す説明図
【図４】本発明における撮影用ライトの配置の他の例を示す説明図
【図５】本発明に係る撮影用カメラの実施の形態の外観構成図
【符号の説明】
【００４４】
１…撮影用ライト  ２…基板  ３…有機ＥＬ素子  ５…被写体  ６…デスク  １０…撮影用カメラ  ３０…面状発光部
【図１】
2006227188.tif 000003
【図２】
2006227188.tif 000004
【図３】
2006227188.tif 000005
【図４】
2006227188.tif 000006
【図５】
2006227188.tif 000007